(57)【要約】【課題】作業現場での必需品である命綱を常時身に付けて、作業現場への持ち込みを忘れることなく安全に作業現場に臨むことができる作業用安全具を提供することにある。【解決手段】作業員の身体に装着可能なベルト２と、このベルト２に設けられた収納ケース２５と、この収納ケース２５内に引き出し可能に収納され、その引き出し側の端部にフック１２を有する命綱１０とを備え、さらにベルト２には緊急通報用のブザー装置２６が設けられている。命綱１０は、収納ケース２５内に設けられたリール機構により巻き取り可能および引き出し可能に収納されている。作業現場においては、命綱１０を収納ケース２５から引き出し、フック１２をロープ３０に取り付けられた係止片３１に掛け止め、この状態で作業を進める。【選択図】    図３
2010046209.tif 000002
【特許請求の範囲】
【請求項１】
作業員の身体に装着が可能なベルトと、
前記ベルトに設けられた収納ケースと、
前記収納ケース内に引き出し可能に収納され、その引き出し側の端部にフックを有する命綱と、
を具備することを特徴とする作業用安全具。
【請求項２】
前記命綱は、前記収納ケース内に設けられたリール機構に引き出し可能に巻き取られて前記収納ケース内に収納されていることを特徴とする請求項１に記載の作業用安全具。
【請求項３】
前記ベルトには、前記収納ケースと併せて緊急通報用のブザー装置が設けられていることを特徴とする請求項１または２に記載の作業用安全具。
【発明の詳細な説明】
【技術分野】
【０００１】
この発明は、各種の工事作業に際して作業員が安全のために身に付けて使用する作業用安全具に関する。
【背景技術】
【０００２】
例えばエレベータの保守点検などに際しては、作業員がエレベータ昇降路内に入り込んで各種の作業を行なう。この際、作業員は、転落などの危険から身を守るために、命綱を使用するのが一般的である。すなわち、作業員が各種の作業用工具類と一緒に昇降路内に命綱を持ち込み、この命綱の一端部を作業員の身体に取り付け、他端部を昇降路内の機材類に連結し、この状態で作業を進め、万一、足場から転落するような場合にその命綱で身体を支えて安全を図るようにしている。
【０００３】
従来、このような安全具としての命綱は、特開２００１−１５１４３１公報に見られるように、単一品として取り扱われ、工事の都度、現場に持ち込んで使用されるのが一般的である。
【特許文献１】特開２００１−１５１４３１公報
【発明の開示】
【発明が解決しようとする課題】
【０００４】
しかしながら、命綱が単一品であると、工事現場への持ち込みを忘れることも往々にしてあり、このような場合、その命綱を取りに行かなければならず、またそれが面倒で命綱を使用しないまま作業を行なえば、非常に危険な事態となってしまう。
【０００５】
また、危険が発生したときに、それを第三者に知らせる緊急用ブザーを命綱と併せて使用することもあるが、この緊急用ブザーも単一品であるため、持ち込みを忘れてしまうことが多々ある。
【０００６】
この発明はこのような点に着目してなされたもので、その目的とするところは、作業現場での必需品である命綱を常時身に付けて、作業現場への持ち込みを忘れることなく安全に作業現場に臨むことができる作業用安全具を提供することにある。
【課題を解決するための手段】
【０００７】
このような目的を達成するために、請求項１の発明は、作業員の身体に装着が可能なベルトと、前記ベルトに設けられた収納ケースと、前記収納ケース内に引き出し可能に収納され、その引き出し側の端部にフックを有する命綱とを具備することを特徴としている。
【０００８】
請求項２の発明は、前記命綱が、前記収納ケース内に設けられたリール機構に引き出し可能に巻き取られて前記収納ケース内に収納されていることを特徴としている。
【０００９】
請求項３の発明は、前記ベルトには、前記収納ケースと併せて緊急通報用のブザー装置が設けられていることを特徴としている。
【発明の効果】
【００１０】
この発明によれば、作業現場での必需品である命綱を常時身に付けて、作業現場への持ち込みを忘れることなく安全に作業現場に臨むことができる。
【発明を実施するための最良の形態】
【００１１】
以下、この発明の実施の形態について図面を参照して説明する。
【００１２】
図１には作業用安全具１の全体の外観を示してある。この安全具１はベルト２を備え、このベルト２は作業員が作業用ズボンを着用するときに使用する。ベルト２は、一端部にバックル４を備え、このバックル４にベルト２を通して締め付けることで作業員の身体胴回りに装着することが可能となっている。
【００１３】
ベルト２の途中には収納ケース５が設けられている。図２には収納ケース５の内部構造を示してあり、図３には安全具１の使用時の状態を示してある。収納ケース５はその両側の連結ピン６を介してベルト２に縫着されている。収納ケース５内にはリール機構を構成するリール９が支軸８を介して回転自在に設けられ、このリール９に命綱１０が引き出し可能に巻き付けられている。命綱１０は、強度の高いワイヤや繊維紐などからなる。
【００１４】
収納ケース５には引出口１１が形成され、この引出口１１を通して命綱１０の一端側端部が引き出されている。命綱１０の他端側端部はリール９に強固に締結固定されている。命綱１０の引き出し端には鉤型のフック１２が締結固定されている。フック１２はその内側の空間と外側の空間とを連通させる開放部１３を有し、この開放部１３を開閉する留め具１４がフック１２の基部に取り付けられている。留め具１４は、フック１２に回動可能に取り付けられ、先端部がフック１２の先端部に弾性的に当接するように板ばね１５を介して弾性的に付勢され、この留め具１４の先端部がフック１２の先端部に当接することで前記開放部１３が閉鎖される。
【００１５】
収納ケース５内には、リール９を命綱１０の巻き取り方向に弾性的に付勢するスプリング１７が設けられているとともに、リール９と係脱可能に係合してリール９の巻き取り方向の回転を規制するワンウエイクラッチ機構１８が設けられている。そして収納ケース５の例えば上部に前記ワンウエイクラッチ機構１８のリール９に対する係合を解除するための解除ボタン１９が設けられている。
【００１６】
したがって、命綱１０を収納ケース５内から引き出すときには、命綱１０を引っ張ってリール９をスプリング１７に抗して回転させることで所定の長さだけ命綱１０を引き出すことができる。命綱１０を所定の長さだけ引き出したときには、ワンウエイクラッチ機構１８によりリール９の逆回転が規制され、命綱１０の引き出し長さが所定の長さに保たれる。そしてこの状態で、解除ボタン１９を操作すると、ワンウエイクラッチ機構１８によるリール９に対する係合が解除され、この解除でリール９がスプリング１７の付勢力で巻き取り方向に回転し、命綱１０がリール９に巻き取られて収納ケース５内に収納される。
【００１７】
ベルト２には収納ケース５と隣り合ってホルダ２２が取り付けられている。命綱１０の大部分の長さ部分を収納ケース５内に収納したときにその端部のフック１２を図１に示すように前記ホルダ２２に掛け止めることができるようになっている。
【００１８】
さらにベルト２には、前記ホルダ２２の反対側の位置において緊急通報用のブザー装置２６が設けられている。このブザー装置２６は押しボタン２７を備え、この押しボタン２７を押圧操作することでブザー音が鳴動するようになっている。
【００１９】
この作業用安全具１の使用に当っては、まずベルト２を作業用ズボンに通してその作業用ズボンを作業員が着用する。これにより、安全具１が作業員の身体に装着される。そして例えばエレベータの保守点検などの作業を行なう場合には、作業員がエレベータ昇降路内に入り込み、乗りかごの上に乗り込む。
【００２０】
乗りかごの上に作業員が乗り込んだ後には、図１に示すようにホルダ２２に掛け止められているフック１２を取り外すとともに、図３に示すように、命綱１０を引っ張って収納ケース２５から所定長さだけ引き出す。そしてフック１２を、例えば乗りかご吊り下げ用のロープ３０に取り付けられている係止片３１に掛け止める。フック１２を掛け止める際には、留め具１４を図２に示す板ばね１５に抗して押し込み、フック１２の開放部１３を開き、この状態でフック１２を係止片３１の係止孔３１ａに通し、この後、留め具１４の押し込みを解除する。この解除で、留め具１４が板ばね１５の弾性力でフック１２の先端部に当接し、開放部１３が閉じられ、これにより係止片３１に対するフック１２の不用意な離脱が防止される。
【００２１】
このように、命綱１０のフック１２を係止片３１に掛け止めた状態において、作業員が所定の作業を進める。この作業中に、作業員が誤って乗りかごの上から足を滑らして転落するようなことがあると、命綱１０により作業員の身体が支えられ、重大な落下事故につながることがなく、安全が確保される。
【００２２】
安全具１にはブザー装置２６が備えられており、したがって作業員が転落し、命綱１０で支えられて宙吊り状態となったような場合に、ブザー装置２６の押しボタン２７を押圧操作する。この操作でブザー装置２６からブザー音が発せられ、昇降路内の他の作業員に異常が緊急通報される。そしてこの緊急通報により、宙吊り状態となった作業員を速やかに救出することが可能となる。
【００２３】
一方、通常の工程で所定の作業が終了したときには、フック１２を係止片３１から取り外す。そして解除ボタン１９を操作し、リール９をスプリング１７の弾性力で回転させ、命綱１０をリール９に巻き取って収納ケース２５内に収納し、またフック１２をベルト２のホルダ２２に掛け止める。これにより、命綱１０がコンパクトに収納ケース２５内に納まるとともに、フック１２がベルト２に沿って定着保持され、乱雑な動きが防止される。
【００２４】
このように、本実施形態の作業用安全具１は、作業員の身体に装着するベルト２に命綱１０およびブザー装置２６がコンパクトに組み付けられているものであり、したがって命綱１０やブザー装置２６の持ち込みを忘れるようなことがなく、常に作業現場において、命綱１０を使用して安全に作業を進めることができ、また緊急時にはブザー装置２６を使用して周辺の作業員にその緊急事態を速やかに通報することができる。
【００２５】
なお、ベルト２は必ずしも作業用ズボンの着用のために使用する場合に限らず、単独で作業員の身体に装着するような場合であってもよい。また、ブザー装置２６は、作業員が宙吊りになり、命綱１０に一定上の張力が加わったような場合に、その張力に基づいて自動的に鳴動するように構成することも可能である。さらに、ブザー装置２６をベルト２に脱着可能に取り付けるような場合であってもよい。
【図面の簡単な説明】
【００２６】
【図１】この発明の一実施形態に係る作業用安全具を示す正面図。
【図２】その作業用安全具における収納ケースの内部構造を示す断面図。
【図３】その作業用安全具の使用時の状態を示す斜視図。
【符号の説明】
【００２７】
１…作業用安全具、２…ベルト、４…バックル、５…収納ケース、６…連結ピン、８…支軸、９…リール、１０…命綱、１１…引出口、１２…フック、１３…開放部、１４…留め具、１７…スプリング、１８…ワンウエイクラッチ機構、１９…解除ボタン、２２…ホルダ、２５…収納ケース、２６…ブザー装置、２７…押しボタン、３０…ロープ、３１…係止片、３１ａ…係止孔。
【図１】
2010046209.tif 000003
【図２】
2010046209.tif 000004
【図３】
2010046209.tif 000005